(57)【要約】      （修正有）【課題】広告効果が高い屋外壁面を利用して、広告効果の持続性が高い広告紙を配布できる広告紙置き棚を提供する。【解決手段】屋外壁面設置用広告紙置き棚３は、広告紙１００が収納可能とされ、上面に開口部を有した箱形状に形成されたケース４と、ケースを仕切る仕切り板５と、ケースの開口部の周辺の一辺に設けられた回転部材７と、回転部材を軸としてケースに対して相対的に回転移動可能に設けられ、ケースの開口部を塞ぐ閉塞状態と開く開口状態との間で移動可能な蓋６と、を備える。蓋は、閉塞状態において蓋とケース開口部の周辺との隙間を通して外部から異物がケース内に侵入することを防止するように正面下方に突出部を有する。【選択図】図１
0003190282.tif 000002
【実用新案登録請求の範囲】
【請求項１】
屋外の壁面に取り付けられる屋外壁面設置用広告紙置き棚であって、
広告紙が収納可能とされ、上面に開口部を有した箱形状に形成されたケースと、
前記ケースを仕切る仕切り板と、
前記開口部の周辺の一辺に設けられた回転部材と、
前記回転部材を軸として前記ケースに対して相対的に回転移動可能に設けられ、前記開口部を塞ぐ閉塞状態と前記開口部を開口した状態とする開口状態との間で移動可能な蓋と、
を備え、
前記蓋が、前記閉塞状態において前記蓋と前記開口部の周辺との隙間を通して外部から異物が前記ケース内に侵入することを防止するように突出して設けられた突出部を有することを特徴とした屋外壁面設置用広告紙置き棚。
【請求項２】
前記蓋に、前記ケースの内部を照らすように照明を設けたことを特徴とする請求項１に記載の屋外壁面設置用広告紙置き棚。
【請求項３】
前記蓋、前記ケースの前面下部、または前記屋外の壁面を有する建造物の上部の少なくとも一つに設置された太陽光パネルと、
前記太陽光パネルにより発電した電気を蓄電する蓄電池と、
を備え、
前記蓄電池の電気により前記照明を点灯することを特徴とする請求項２に記載の屋外壁面設置用広告紙置き棚。
【考案の詳細な説明】
【技術分野】
【０００１】
本考案は、屋外の壁面に設置される広告紙置き棚に関するものである。
【背景技術】
【０００２】
近年、自動販売機やバス停等の屋外設置物の外壁面や、柱も含む建物の外壁面といった屋外にある壁面の空きスペースが、広告スペースとして有効活用されている。このような場所を広告スペースとして利用することにより、年代、性別、職業を問わず様々な人の目に触れる機会を増やし、極めて高い広告効果をもたらすことができる。一方、無料で配布される広告紙は、スーパーや本屋といった店舗に置かれていることが多く、人の目に触れる機会が限られていた。
【考案の概要】
【考案が解決しようとする課題】
【０００３】
しかしながら、屋外壁面の広告スペースは、年代、性別、職業を問わず様々な人の目に触れる機会が多いため、広告効果は高いが、広告スペースにはポスターが貼られることや、デジタルサイネージ等が設置されることが多く、人がその場所を離れてしまうと広告効果を発揮できず広告効果の持続性が低いという問題点があった。特に、自動販売機は、宣伝広告塔として利用すると極めて高い広告効果をもたらすにもかかわらず、自動販売機の表面に自社のポスターを設置して、販売する商品を広告する程度の利用しかされていなかった。一方、広告紙は、持ち帰ることができるので、人がその場所を離れても広告効果を発揮でき広告効果の持続性は高いが、限られた場所にしか置かれていないため、多くの人の目にふれ、広く頒布することができないという問題点があった。
【０００４】
そこで、上記課題に鑑みて、本考案では、広告効果が高い屋外壁面を利用して、広告効果の持続性が高い広告紙を配布するための屋外壁面設置用広告紙置き棚を提供することを目的とする。
【課題を解決するための手段】
【０００５】
本考案は、上記の課題を解決するために、以下の事項を提案している。なお、理解を容易にするために、本考案の実施形態に対応する符号を付して説明するが、これに限定されるものではない。
【０００６】
（１）  本考案は、屋外の壁面（例えば、自動販売機２）に取り付けられる屋外壁面設置用広告紙置き棚（３）であって、広告紙が収納可能とされ、上面に開口部を有した箱形状に形成されたケース（４）と、前記ケースを仕切る仕切り板（５）と、前記開口部の周辺の一辺に設けられた回転部材（７）と、前記回転部材を軸として前記ケースに対して相対的に回転移動可能に設けられ、前記開口部を塞ぐ閉塞状態と前記開口部を開口した状態とする開口状態との間で移動可能な蓋（６）と、を備え、前記蓋が、前記閉塞状態において前記蓋と前記開口部の周辺との隙間を通して外部から異物が前記ケース内に侵入することを防止するように突出して設けられた突出部（６ｂ）を有することを特徴とした屋外壁面設置用広告紙置き棚を提案している。
【０００７】
（２）  本考案は、（１）の屋外壁面設置用広告紙置き棚について、前記蓋に、前記ケースの内部を照らすように照明（３１）を設けたことを特徴とする屋外壁面設置用広告紙置き棚を提案している。
【０００８】
（３）  本考案は、（２）の屋外壁面設置用広告紙置き棚について、前記蓋、前記ケースの前面下部、または前記屋外の壁面を有する建造物の上部の少なくとも一つに設置された太陽光パネル（３３）と、前記太陽光パネルにより発電した電気を蓄電する蓄電池（３２）と、を備え、前記蓄電池の電気により前記照明を点灯することを特徴とする屋外壁面設置用広告紙置き棚を提案している。
【考案の効果】
【０００９】
本考案によれば、屋外壁面設置用広告紙置き棚のケース内部に、水、ごみ、虫といった異物が混入することを防ぐことができることにより、収納される広告紙が汚れることなく、広告効果が高い屋外壁面を利用して、広告紙を効果的に配布することができる。特に、屋外壁面設置用広告紙置き棚を自動販売機に設置することで、極めて高い宣伝効果を有する自動販売機を利用して、広告紙を効果的に配布することができる。屋外壁面設置用広告紙置き棚のケース内部を照明によって照らすことにより、夜間であっても、通行者や利用者の注意を引くことが可能となる。広告紙の出版元等は広告紙を広く頒布することが可能となり、設置場所の提供者等は広告紙の出版元等からの設置スペース貸与料の徴収が可能となり、読者は手軽に広告紙を手に入れることができるといったように、それぞれがメリットを得ることができる。また、屋外壁面設置用広告紙置き棚を設置している壁面を有する店舗が、自身の広告、パンプレット、チラシ等を入れることで、自身の広告手段として利用することも可能となる。
【図面の簡単な説明】
【００１０】
【図１】本考案に係る屋外壁面設置用広告紙置き棚が設置された広告紙置き棚付き自動販売機を示す図である。
【図２】本考案に係る広告紙置き棚の断面図である。
【図３】本考案に係る照明付き広告紙置き棚の正面拡大図である。
【図４】本考案に係る照明付き広告紙置き棚の断面図である。
【図５】本考案に係る照明付き広告紙置き棚および太陽光パネルが設置された自動販売機を示す図である。
【考案を実施するための形態】
【００１１】
以下、図面を用いて、本考案の実施形態について詳細に説明する。なお、本考案形態における構成要素は適宜、既存の構成要素等との置き換えが可能であり、また、他の既存の構成要素との組み合わせを含む様々なバリエーションが可能である。したがって、本実施形態の記載をもって、実用新案登録請求の範囲に記載された考案の内容を限定するものではない。
【００１２】
図１および図２を用いて、本考案に係る自動販売機に設置された屋外壁面設置用広告紙置き棚について説明する。図１は、本考案に係る屋外壁面設置用広告紙置き棚３（以下、簡略化のため広告紙置き棚という）が設置された広告紙置き棚付き自動販売機１を示し、図２は、広告紙置き棚３のＡ−Ａ線断面図である。なお、本実施形態において、広告紙置き棚３は、自動販売機２に設置されているが、バス停といった屋外設置物の壁面や、住宅やビルといった建物の屋外の壁面や柱に設置されてもよい。
【００１３】
図１（ａ）は、広告紙置き棚付き自動販売機１の正面図であり、（ｂ）は、広告紙置き棚付き自動販売機１の側面図である。図に示すように、広告紙置き棚３は、自動販売機２の取り出し口上部の正面空きスペースに、広告紙置き棚３の蓋６が開閉動できるようにあそび１１をもたせてビス１０で止められて設置される。なお、広告紙置き棚３は、正面空きスペースに限らず、自動販売機２の側面に設置されてもよい。また、広告紙置き棚３は、自動販売機２に磁石で設置されてもよい。
【００１４】
広告紙置き棚３は、ケース４、仕切り板５、蓋６、および回転部材７を備える。
【００１５】
ケース４は、上面に開口部を有した透明な箱であって、開口部を通して内部に広告紙を収納可能となっている。図に示すように、ケース４において、背面４ｂを正面４ａより高くすることで、収納される広告紙１００が取り出しやすいように、開口部を広くすることができる。また、背面４ｂを正面４ａより高くすることで、蓋体６が前方に向かって下向きの勾配を有するようなり、雨水が流れやすくなるという効果もある。
【００１６】
ケース４は、縦に設置された仕切り板５で複数の空間９ａ、９ｂ、９ｃに仕切られ、更に、空間９ｃは、横に設置された仕切り板５によって、上下に２つの空間に仕切られる。仕切られた各空間に広告紙を収納することで、異なる複数の広告紙も混ざることなく別々に収納するが可能となり、また、広告紙を陳列しやすくすることができる。また、仕切り板５を横に設置することにより、広告紙が収納される空間の高さを調節でき、葉書サイズといった高さが低い広告紙も取り出しやすい位置に収納することが可能となる。なお、ケース４内に設置する仕切り板５の数や位置は任意に変更することができる。
【００１７】
ケース４は、ケース４内に溜まったごみや水を排出する穴８を、ケース４の各空間について、底面４ｃに少なくとも１つ備える。穴８は、ケース４の各空間底面の端に設けられるのが好ましい。ケース４内に溜まったごみや水を排出しやすくするために、穴８をケース４の各空間底面の前端に設け、底面４ｃに前方に向かって下向きの勾配をつけてもよい。
【００１８】
蓋６は、回転部材７を軸としてケース４に対して相対的に回転移動可能に設けられ、ケース４の開口部を塞いだ状態と開口部を開口した状態との間で移動が可能である。蓋６は、蓋本体６ａと突出部６ｂとを備える。蓋本体６ａのみでケース４の開口部を塞いだ状態においては、蓋本体６ａとケース４の開口部の周辺との隙間が生じ、その隙間を通して、外部から、水、ごみ、虫といった異物がケース４内に侵入してしまう。蓋本体６ａとケース４の開口部の周辺との隙間から異物がケース４内に侵入するのを防ぐために、蓋６は突出部６ｂを備える。
【００１９】
突出部６ｂは、ケース４の正面４ａに沿って下方に突出するのが好ましいが、蓋本体６ａに対して下方に角度が付けられた状態で突出していればよい。また、突出部６ｂは、蓋本体６ａの回転部材７と接合していない３辺全てに備えられるのが好ましいが、３辺全てに備えられなくてもよい。蓋体６は、開けやすいように取っ手を蓋本体６ａの表面に設けてもよい。
【００２０】
また、蓋本体６ａとケース４とが回転部材７によって接合されていることにより生じる隙間からの異物のケース４内への進入を防ぐために、突出部６ｂを、蓋本体６ａの回転部材７と接合している辺に備えてもよい。なお、蓋本体６ａの回転部材７と接合している辺に備える突出部６ｂは、蓋６の回転が妨げない程度の大きさに制限されるが、蓋本体６ａに対して下方に角度が付けられた状態であっても、蓋本体６ａを延伸した状態であってもよい。
【００２１】
回転部材７は、ケース４の背面４ｂ上端部と蓋本体６ａの裏面後方部とを接合し、回転部材７を軸に、蓋６を上方に回転移動可能にしている。
【００２２】
次に、図３と図４を用いて、上述した広告紙置き棚３に照明を備えた照明付き広告紙置き棚３０について説明する。図３は、本考案に係る照明付き広告紙置き棚３０の正面拡大図であり、図４は、照明付き広告紙置き棚３０のＢ−Ｂ線断面図である
【００２３】
照明付き広告紙置き棚３０は、図１および図２を用いて説明した広告紙置き棚３において、蓋６に照明３１と、照明３１の電源となる蓄電池３２と、蓄電池３２に蓄える電気を発電する太陽光パネル３３と、を備えたものである。
【００２４】
照明３１は、蓋本体６ａの裏面に、長手方向に所定間隔開けて配置される。ケース４の各空間９ａ、９ｂ、９ｃそれぞれが少なくとも１つの照明で照らされるように、照明３１は、蓋本体６ａの裏面に配置される。なお、照明３１は、蓋６に内蔵されてもよい。
【００２５】
照明３１は、例えば、ＬＥＤライトであって、具体的には、暗くなった時に点灯する光センサー付きのＬＥＤライトや、暗い時に人の動きを感知して点灯する光センサーおよび人感センサー付きのＬＥＤライトである。照明３１は、電源線３４を介して蓄電池３２から電気が供給される。なお、電源線３４を自動販売機２が接続されているコンセント等の外部電源に接続し、照明３１は外部電源から電気を供給されてもよい。
【００２６】
蓄電池３２は、太陽光パネル３３が発電した電気を蓄える。それにより、日中に太陽光パネル３３で発電した電気を、暗くなった時に、照明３１を点灯させるのに使用することができる。蓄電池３２は、ケース４内に備えられればよく、例えば、図に示すように、ケース４の空間９ａの背面４ｂにビス止め等で設置される。
【００２７】
太陽光パネル３３は、図３、４に示すように蓋本体６ａ上部に設置される。また、太陽光パネル３３は、図５に示すように、自動販売機２の上部に設置台３５を設けて設置されてもよく、蓋本体６ａ上部と併せて設置されてもよい。なお、太陽光パネル３３は、図示しないがケース４の正面に設置されてもよいが、ケース４に収納される広告紙１００がある程度見えるように正面下方部に設置する必要がある。
【００２８】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００２９】
１    広告紙置き棚付き自動販売機
１´  照明付き広告紙置き棚付き自動販売機
２    自動販売機
３    広告紙置き棚
４    ケース
５    仕切り板
６    蓋
７    回転部材
８    ケース本体  穴
９ａ、９ｂ、９ｃ  本体ケースの各空間
１０  ビス
１１  あそび
３０  照明付き広告紙置き棚
３１  照明
３２  蓄電池
３３  太陽光パネル
３４  電源線
３５  太陽光パネル設置台
【図１】
0003190282.tif 000003
【図２】
0003190282.tif 000004
【図３】
0003190282.tif 000005
【図４】
0003190282.tif 000006
【図５】
0003190282.tif 000007